(57)【要約】【課題】装置を大型化することなく、簡単な構成でシート搬送経路を容易に開くことができるようにする。【解決手段】シート搬送装置１Ｃは、シートを搬送するレジストローラ対と、レジストローラ対へシートを案内する給紙搬送路９６を有し、装置本体１Ａに対して回動可能に設けられ、装置本体１Ａを開閉可能な扉９と、積載トレイから供給されるシートをレジストローラ対へ案内し、扉９が装置本体１Ａを閉めた状態であるときに装置本体１Ａと扉９によって形成されるシート搬送経路９５と、を備えている。扉９が、給紙搬送路９６を引かれることで装置本体１Ａを開く方向に回動し、シート搬送経路９５を開放するようになっているので、シート搬送経路９５を容易に開くことができる。【選択図】図２
2017165507.tif 000002
【特許請求の範囲】
【請求項１】
シートを搬送する搬送手段と、
前記搬送手段へシートを案内する第１の搬送路を有し、ハウジングに対して回動可能に設けられ、前記ハウジングを開閉可能な回動部材と、
前記第１の搬送路と異なる供給先から供給されるシートを前記搬送手段へ案内し、前記回動部材が前記ハウジングを閉めた状態であるときに前記ハウジングと前記回動部材によって形成される第２の搬送路と、を備え、
前記回動部材は、前記第１の搬送路を引かれることで前記ハウジングを開く方向に回動し、前記第２の搬送路を開放する、
ことを特徴とするシート搬送装置。
【請求項２】
前記回動部材と前記ハウジングとの間に設けられて、前記回動部材を前記ハウジングに対してロック解除可能にロックするロック手段と、を備え、
前記第１の搬送路は、ユーザによって引かれることで前記第２の搬送路を開放する開閉作用部を有し、
前記回動部材の回動中心と前記開閉作用部との距離は、前記回動部材の回動中心と前記ロック手段との距離よりも長く設定されている、
ことを特徴とする請求項１に記載のシート搬送装置。
【請求項３】
前記ロック手段は、
前記ハウジングと前記回動部材との一方に設けられて、一方向に付勢された係合部材と、
前記ハウジングと前記回動部材との他方に設けられて、前記係合部材が付勢力に抗して係脱可能に係合する被係合部材と、を備え、
前記回動部材の回動中心と前記ロック手段との距離は、前記回動部材の回動中心と前記係合部材との距離である、
ことを特徴とする請求項２に記載のシート搬送装置。
【請求項４】
前記係合部材は、回動可能なフックであり、
前記回動部材の回動中心と前記ロック手段との距離は、前記回動部材の回動中心と前記フックの回動中心との距離である、
ことを特徴とする請求項３に記載のシート搬送装置。
【請求項５】
前記請求項１乃至４のいずれか１項に記載のシート搬送装置と、
前記シート搬送装置の前記第２の搬送路によって案内されるシートに画像を形成する画像形成手段と、を備え、
前記シート搬送装置の回動部材は、前記第２の搬送路の内、一方の案内壁を有して、前記第２の搬送路を開閉可能である、
ことを特徴とする画像形成装置。
【発明の詳細な説明】
【技術分野】
【０００１】
本発明は、ハウジングを開閉するシート搬送装置と、このシート搬送装置によって、装置本体が開閉される画像形成装置とに関する。
【背景技術】
【０００２】
従来、シートに画像を形成する複写機、プリンタ、ファクシミリ、及びそれらの複合機等の画像形成装置は、搬送中のシートが搬送経路に詰まることがある。このため、従来の画像形成装置には、レバーを回動させることでシートが詰まった搬送経路を開くシート搬送装置を備えて、そのシート搬送装置によって搬送経路を開いて、詰まったシートを除去できるようになっている（特許文献１）。
【先行技術文献】
【特許文献】
【０００３】
【特許文献１】特開２００９−２２９９７８号公報
【発明の概要】
【発明が解決しようとする課題】
【０００４】
しかし、従来の画像形成装置に備えられたシート搬送装置は、レバーを回動させることでペーパーシュート（扉）を開き、搬送経路を開く構成であるため、レバーを設ける場所が必要となり、装置が大型化してしまう。
【０００５】
本発明の目的は、装置を大型化することなく、簡単な構成で搬送路を容易に開くことができるシート搬送装置を提供することにある。
【課題を解決するための手段】
【０００６】
本発明は、シートを搬送する搬送手段と、前記搬送手段へシートを案内する第１の搬送路を有し、ハウジングに対して回動可能に設けられ、前記ハウジングを開閉可能な回動部材と、前記第１の搬送路と異なる供給先から供給されるシートを前記搬送手段へ案内し、前記回動部材が前記ハウジングを閉めた状態であるときに前記ハウジングと前記回動部材によって形成される第２の搬送路と、を備え、前記回動部材は、前記第１の搬送路を引かれることで前記ハウジングを開く方向に回動し、前記第２の搬送路を開放する、ことを特徴とするシート搬送装置によって従来の課題を解決した。
【発明の効果】
【０００７】
本発明は、装置を大型化することなく、容易に第２の搬送路を開閉することができる。
【図面の簡単な説明】
【０００８】
【図１】本発明の実施形態の画像形成装置としての複写機のシート搬送方向に沿った断面概略図である。
【図２】本発明の実施形態におけるシート搬送装置のシート搬送方向に沿った断面図である。
【図３】図２に示すシート搬送装置の扉に外付けの給紙装置を接続したときのシート搬送装置のシート搬送方向に沿った断面図である。
【図４】図２に示す扉の図である。（Ａ）は、扉の正面図である。（Ｂ）は、（Ａ）の断面図である。
【図５】図２に示す扉の左側面図である。
【図６】図２に示す扉の図である。（Ａ）は、図２に示す扉の右側面図である。（Ｂ）は、（Ａ）において搬送部カバーを外した図である。
【図７】図２に示すシート搬送装置の一部を構成する本体開閉装置の分解斜視図である。
【図８】図２に示す扉を左側から見た外観斜視図である。
【図９】図２に示す扉の把手部の部分の断面拡大図である。
【図１０】扉が取り付けられた部分の装置本体の外観斜視図である。
【図１１】扉を開くときのロック機構のフックの動作説明用の図である。（Ａ）は、開く前の扉の断面図である。（Ｂ）は、扉を開くとき、フックが回動した状態を示す図である。
【図１２】扉を複写機の装置本体に対して最大に開いて、シート搬送装置のシート搬送経路を開いたときの装置本体の外観斜視図である。
【図１３】図１２において、開閉ストッパが設けられている部分の扉の断面図である。
【図１４】図４の（Ａ）において、把手部を断面で示した図である。
【図１５】図１４において、把手部とフックとの部分の拡大図である。
【発明を実施するための形態】
【０００９】
以下、本発明の実施形態の画像形成装置とシート搬送装置とを図に基づいて説明する。なお、実施の形態の説明における数値は、参考数値であって、本発明を限定する数値ではない。
【００１０】
図１は、本発明の実施形態の画像形成装置としての複写機１のシート搬送方向に沿った断面概略図である。ユーザが複写機１に対して各種入力／設定を行う不図示の操作パネルに臨む手前側を複写機１の「正面側」とし、奥側を「背面側」とする。つまり、図１は、正面側から見た複写機１の内部構成を示した断面図である。
【００１１】
複写機１は、シートＰを給送するシート給送部２と、シートに画像を形成する画像形成手段としての画像形成部３と、シートに画像を定着させる定着部４と、画像が定着されたシートＰを排出する排出部５と、原稿の画像を読み取る画像読取部６と、を備えている。
【００１２】
シート給送部２は、複写機１の装置本体１Ａの下部に設けられている。シート給送部２は、シートＰが積載される積載トレイ２１と、積載トレイ２１に積載されたシートＰをピックアップするピックアップローラ２２と、ピックアップされたシートＰを分離給送する分離給送部２３等を備えている。なお、本実施形態における複写機１のシート給送部２は、複写機１の装置本体１Ａの側方からシートＰを手差し給送可能な手差し給送部２４を備えている。手差し給送部２４は、シートＰを積載する手差しトレイ２５と、手差しトレイ２５に積載されたシートＰを分離給送する手差し分離給送部２６と、を備えている。手差しトレイ２５は、複写機１の装置本体１Ａの側部を矢印Ａ方向に開閉できるようになっている。手差しトレイ２５は、上端部側が装置本体１Ａに対して開閉できるようになっている。
【００１３】
画像形成部３は、シート給送部２の上方に設けられている。画像形成部３は、トナー画像が形成される感光体ドラム３１と、感光体ドラム３１の表面を一様に帯電する帯電ローラ３２と、レーザ光を照射して感光体ドラム３１に静電潜像を形成するレーザ照射装置３３とを備えている。さらに、画像形成装置１は、感光体ドラム３１上の静電潜像をトナー画像として可視化する現像装置３４と、感光体ドラム３１に当接して転写ニップＮを形成する転写ローラ３５等も備えている。
【００１４】
定着部４は、画像形成部３のシート搬送方向の下流側（以下、単に「下流側」という）のシート搬送経路に設けられている。排出部５は、定着部４の下流側に設けられている。排出部５は、シートＰを装置本体１Ａの内部から排出する排出ローラ対５１と、排出されたシートＰを積載する胴内排出トレイ５２等を備えている。画像読取部６は、複写機１の装置本体１Ａの上部に設けられている。画像読取部６は、原稿を載置する原稿載置部６１と、原稿載置部６１に載置された原稿の画像情報を読み取る読取スキャナ６２等を備えている。
【００１５】
次に、複写機１の画像形成動作を説明する。複写機１は、読取スキャナ６２、不図示のパソコン等から送信されてきた原稿等の画像情報（画像情報信号）に応じて、レーザ照射装置３３によって、感光体ドラム３１の周面にレーザ光を照射する。感光体ドラム３１の周面は、帯電ローラ３２によって所定の極性電位に一様に帯電されている。このため、感光体ドラム３１の周面には、レーザ光によって静電潜像が形成される。感光体ドラム３１に形成された静電潜像は、現像装置３４の現像ローラ１４によってトナー現像されて、トナー画像となる。
【００１６】
上述のトナー画像の形成動作に並行して、シート給送部２から１枚ずつに分離給送されたシートＰが、シート搬送経路９５を案内にして、搬送ローラ対１０によりレジストローラ対１１に搬送されて、レジストローラ対１１で斜行を補正される。レジストローラ対１１は、搬送ローラ対１０の下流側のシート搬送経路に設けられている。
【００１７】
斜行を補正されたシートＰは、所定のタイミングで転写ニップＮに搬送され、可視化されたトナー画像が転写ローラ３５によって転写される。トナー画像が転写されたシートＰは、転写ニップＮから定着部４に搬送されて、定着ユニット４０で熱及び圧力を受けることでトナー画像が定着される。トナー画像が定着されたシートＰは、排出ローラ対５１によって胴内排出トレイ５２に排出される。これにより、複写機１は、シートの片面に画像を形成する動作を終了する。
【００１８】
本実施形態の複写機１は、シートの両面にトナー画像を形成することができるようになっている。次に、片面（第１面）にトナー画像を形成されたシートの他方の面（第２面）にトナー画像を形成する動作を説明する。
【００１９】
第１面にトナー画像を形成されたシートＰは、中間排出ローラ対５３によってシートＰ反転装置１００に送られる。反転パス７、反転ローラ対１１０の順に搬送されたシートＰは、胴内排紙方向に搬送される（図１中、矢印ｂ方向）。反転ローラ対１１０に狭持されたシートＰの後端が搬送路切り替えフラッパー１１１を抜けて７ｍｍの位置（図示していないシート検知センサの通過時間から算出）に到達すると、反転ローラ対１１０が逆回転する。シートは、スイッチバック搬送されて、表裏反転されたことになる。逆回転した反転ローラ対１１０は、シートＰを再び装置本体１Ａ内の矢印ｃ方向に引き込む。
【００２０】
その後、両面搬送ローラ対８ａ，８ｂ，８ｃが、シートを再びレジストローラ対１１に搬送する。レジストローラ対１１は、シートを転写ニップＮに搬送する。シートＰは、第２面が感光体ドラム３１の側にくるようになっており、転写ニップＮで第２面にトナー画像を転写される。そして、シートは、定着部４で第２面のトナー画像を定着されて、排出ローラ対５１によって胴内排出トレイ５２に排出される。これによって、シートは、第１面と第２面との両面にトナー画像を形成されて胴内排出トレイ５２に排出されたことになる。
【００２１】
次に、本発明の実施形態のシート搬送装置を説明する。図２は、本発明の実施形態におけるシート搬送装置１Ｃのシート搬送方向に沿った断面図である。図３は、図２に示すシート搬送装置１Ｃの扉９に外付けの給紙装置８９を接続したときのシート搬送装置１Ｃのシート搬送方向に沿った断面図である。図４は、図２に示す扉の図である。図４の（Ａ）は、扉９の正面図である。図４の（Ｂ）は、図４の（Ａ）の断面図である。図５は、図２に示す扉９の左側面図である。図６は、図２に示す扉の図である。図６の（Ａ）は、図２に示す扉９の右側面図である。図６の（Ｂ）は、図６の（Ａ）において搬送部カバー７８を外した図である。図７は、図２に示すシート搬送装置１Ｃの一部を構成する本体開閉装置１Ｂの分解斜視図である。図８は、図２に示す扉９を左側から見た外観斜視図である。図９は、図２に示す扉９の把手部７３の部分の断面拡大図である。図１０は、扉９が取り付けられた部分の装置本体１Ａの外観斜視図である。図１１は、扉９を開くときのロック機構８０のフック７５の動作説明用の図である。図１１の（Ａ）は、開閉ストッパ８１が設けられている部分の扉９の断面図である。図１１の（Ｂ）は、扉９を開くときのフック７５の動作説明用の図である。図１２は、扉９を複写機１の装置本体１Ａに対して最大限に開いて、シート搬送装置のシート搬送経路９５を開いたときの装置本体１Ａの外観斜視図である。図１３は、図１２において、開閉ストッパ８１が設けられている部分の扉９の断面図である。図１４は、図４の（Ａ）において、把手部７３を断面で示した図である。図１５は、図１４において、把手部７３とフック７６との部分の拡大図である。
【００２２】
図１乃至図３において、本発明の実施形態のシート搬送装置１Ｃは、概略説明すると、レジストローラ対（搬送手段）１１と、給紙搬送路（第１の搬送路）９６を有する扉（回動部材）９と、シート搬送経路（第２の搬送路）９５等で形成されている。給紙搬送路９６は、シートを外部からレジストローラ対１１に案内するようになっている。シート搬送経路９５は、搬送ローラ対１０、分離給送部２３、扉９、装置本体（ハウジング）１Ａの給紙搬送ガイド９０等で形成されて、積載トレイ（第１の搬送路と異なる供給先）２１のシートをレジストローラ対１１に案内するようになっている。
【００２３】
図１、図４の（Ａ）、図４の（Ｂ）、図７において、本体開閉装置１Ｂは、装置本体１Ａの図１の右側部を開閉できるようになっている。本体開閉装置１Ｂは、扉９と、ロック機構８０等を備えている。また、扉９は、装置本体１Ａに形成された給紙搬送ガイド９０とで、シート搬送経路９５を形成する離間対向した１対のシート案内壁でもある。図３において、太い破線Ｅは、シートが搬送される経路を示している。扉９は、シート搬送経路９５を開放して、シート搬送経路９５に詰まったシートを除去できるように装置本体１Ａに開閉可能（回動可能）に設けられている。扉９は、ユーザがシート搬送経路９５を開閉する際に、ユーザが指を掛ける開閉作用部としての把手部７３（図４の（Ｂ））を有している。ロック手段としてのロック機構８０（詳細な構成は後述）は、扉９と装置本体１Ａとの間に設けられて、扉９を装置本体１Ａに対してロック解除可能にロックするようになっている。
【００２４】
図４、図５、図７において、扉９は、下部の両側に突設された回動中心軸７７を中心にして上部が回動し、装置本体１Ａを開閉できるように装置本体１Ａに設けられている。扉９は、上部の両端に回動自在に設けられたフック（係合部材（被係合部材））７５が、装置本体１Ａに設けられたフックストッパ軸（被係合部材（係合部材））８２に係合離脱自在（係脱可能）に係合して、装置本体を閉めた状態に保持されるようになっている。
【００２５】
図１乃至図４、図７において、扉９は、第１搬送ガイド７０と、第２搬送ガイド７１と、第３搬送ガイド７２等で形成されている。扉９の第１搬送ガイド７０、第２搬送ガイド７１及び第３搬送ガイド７２の構造を詳細に説明する。
【００２６】
第１搬送ガイド７０は、装置本体側の給紙搬送ガイド９０とでシート搬送経路９５を形成するシート案内壁である。第１搬送ガイド７０は、ピックアップローラ２２によりピックされて、分離給送部２３により１枚ずつに分離されたシートＰを、搬送ローラ対１０を経て、レジストローラ対１１（図１）へ搬送案内するようになっている。
【００２７】
このとき、第１搬送ガイド７０は、装置本体側の給紙搬送ガイド９０と対になって、シート搬送経路９５を形成し、シートＰを図２に示すシート搬送方向Ｅに案内する。第１搬送ガイド７０は、シートをシート搬送方向Ｅへ案内する通紙搬送面７０ａが形成されて、搬送ローラ対１０の片方である搬送コロ１０ｂが回転自在に取り付けられている。分離給送部２３は略水平方向にシートＰを搬送し、レジストローラ対１１は略垂直方向にシートＰを搬送するようになっている。また、第１搬送ガイド７０の通紙搬送面７０ａは、分離給送部２３から搬送されてくるシートＰが当接して屈曲し、詰まらないようにするため、円弧状に形成されている。因みに、シートの坪量は、最大で約１２８ｇ／ｍ２である。
【００２８】
図１、図３において、扉９の外側には、後述する給紙装置８９が取り付け取り外し可能に配置されるようになっている。このため、扉９には、給紙装置８９から装置本体内にシートを案内する給紙搬送路９６が形成されている。しかし、給紙装置８９が配置されていないとき、給紙搬送路９６は、図２に示すように、搬送部カバー７８（詳細な構成は後述）により塞がれている。
【００２９】
図２乃至図５において、第２搬送ガイド７１は、扉９の主部材である。第２搬送ガイド７１は、給紙装置８９から搬送されてくるシートを案内する通紙搬送面７１ａを形成されている。第２搬送ガイド７１には、第１搬送ガイド７０を取り付けられている。第２搬送ガイド７１の上部両側には、円筒状の突起部７４（図４の（Ａ））が突設されており、その突起部７４にはフック７５が回転自在（回動可能）に取り付けられている。フック７５は、フック７５と第２搬送ガイド７１とに渡して設けた引張ばねであるフック付勢ばね７６によって、フック付勢方向（時計方向）Ｈの一方向に回転付勢されている。フック７５には、装置本体１Ａに設けられたフックストッパ軸８２に係合するＵ字状に形成された係合凹部７５ａが形成されている。突起部７４は、フック付勢ばね７６と係合凹部７５ａとの中間に位置している。
【００３０】
図４の（Ａ）、図５、図７において、第２搬送ガイド７１の下部両側には、扉９を装置本体１Ａに対して開閉自在に支持する回動中心軸７７が突設されている。第２搬送ガイド７１の下部近くには、扉９の開閉量を規制する開閉ストッパ８１が取り付けられている。開閉ストッパ８１には、回動中心軸７７を中心にした円弧状の円弧孔８１ａが形成されている。図１３において、円弧孔８１ａは、複写機１の装置本体１Ａに突設された固定のストッパ８５に係合している。開閉ストッパ８１の円弧孔８１ａとストッパ８５との係合によって、装置本体１Ａに対する扉９の開閉量が設定されている。
【００３１】
図２、図３、図４の（Ｂ）、図７、図８において、第３搬送ガイド７２は、第２搬送ガイド７１の上部に取り付けられている。第３搬送ガイド７２は、給紙装置８９から搬送されてくるシートを案内する通紙搬送面７２ａを形成されている。この通紙搬送面７２ａは、第２搬送ガイド７１の通紙搬送面７１ａと対をなして、給紙装置８９の排出ローラ対９１から搬送されてくるシートをシート搬送方向Ｊへ案内する給紙搬送路９６を形成している。このシート搬送方向Ｊ（図３）へシートＰを搬送する給紙搬送路９６は、搬送部カバー７８が第２搬送ガイド７１に取り付けられると塞がれるようになっている。また、第３搬送ガイド７２には、ユーザの指が掛けられる把手部７３が形成されている。搬送部カバー７８（図７）には、把手部７３にユーザが指を挿入するための指挿入孔７８ａと、指を把手部７３に案内する円弧状の指案内部７８ｂが形成されている。
【００３２】
図６の（Ｂ）において、因みに、本実施形態における把手部７３の位置は、次のように設定されている。本実施形態におけるシート搬送方向Ｊ（図３）へ搬送されるシートＰの幅方向（図６の（Ｂ）の左右方向）の最小サイズは、Ｂ５サイズの２５７ｍｍである。このため、扉９のシート幅方向の中心ＣＬから把手部７３への最大距離Ｌ１は８７．６ｍｍであり、Ｂ５サイズのシート幅方向の中心ＣＬからＢ５サイズの半分の距離Ｌ２（（２５７／２）＝１２８．５ｍｍ）よりも短く設定されている（Ｌ１＜Ｌ２）。すなわち、把手部７３の位置は、外付けの給紙装置８９が搬送するシートの幅方向の中心ＣＬから、最少幅サイズの半分よりも短い範囲内に設定されている。これによって、把手部７３は、シート搬送方向Ｊへ搬送されるシートＰの幅方向の両側端部に殆ど引っかかることがないため、シートの搬送を阻害することはない。
【００３３】
次に、扉９の把手部７３について説明する。
【００３４】
図９において、扉９には、給紙装置８９（図３）から搬送されてくるシートをシート搬送方向Ｊへ案内する給紙搬送路９６が形成されている。給紙搬送路９６は、第２搬送ガイド７１と第３搬送ガイド７２とによって形成されている。第３搬送ガイド７２の一部には、窪んだ把手部７３が形成されている。把手部７３のシート搬送方向Ｊの上流側の内面は、垂直な垂直部７３ａを形成している。垂直部７３ａは、図１２、図１３に示すように、扉９を矢印Ｋ方向の外側に引いて、装置本体１Ａを開くとき、ユーザの指がしっかりと掛かるように、垂直に形成されている。把手部７３（図９）の垂直部７３ａの上下方向の中心点を、把手部７３に力を掛けた際の力点である把手力点Ｐ７３とする。垂直部７３ａの上下方向の中心点は、把手部７３の深さＷの半分（（１／２）Ｗ）である。そして、把手部７３のシート搬送方向Ｊの下流側の内面は、シート搬送方向Ｊに搬送されるシートＰの先端部の引っかかりを低減するために、水平方向に対して約４５度傾斜した、傾斜部７３ｂが形成されている。
【００３５】
次に、扉９の複写機１に対する開閉動作を説明する。
【００３６】
図１、図２、図９、図１０において、搬送部カバー７８は、装置本体１Ａに外付けの給紙装置８９が取り付けられていないとき、扉９の孔９ａに着脱自在に取り付けられている。図１１の（Ａ）において、通常、扉９のフック７５は、フック付勢方向Ｈへ引っ張っているフック付勢ばね７６によって、複写機１の装置本体１Ａに設けられたフックストッパ軸８２に係合して、扉９が開放側（外側、矢印Ｋ方向）へ倒れるのを規制している。
【００３７】
この状態で、図９、図１２、図１３において、ユーザが扉９によって装置本体１Ａを開くとき、指を搬送部カバー７８の指挿入孔７８ａに挿入する。すると、円弧状の指案内部７８ｂは、指を扉９の把手部７３に案内させて把手部７３を把持させる。ユーザは、指が把手部７３に引っ掛かると、扉９を開放側（矢印Ｋ方向）へ引っ張る。すると、扉９が回動中心軸７７を中心にして、装置本体１Ａから離れる開放側（外側、矢印Ｋ方向）へ回動する。
【００３８】
図１１乃至図１４において、扉９を開放側（外側、矢印Ｋ方向）に牽引する操作力Ｆ１は、主に、係合凹部７５ａをフックストッパ軸８２に係合保持させているフック付勢ばね７６のフック付勢方向Ｈの引張力Ｆ２に抗した力である。さらに、扉９をフック開放側へ回動させると、係合凹部７５ａがフックストッパ軸８２から外れて、フック７５がフックストッパ軸８２から外れる。これによって、扉９は、図１２、図１３に示す位置まで回動して、装置本体１Ａの下部側部を開放したことになる。フック７５は、扉９に突設されているストッパ９４に受け止められて、扉９で装置本体１Ａを閉めるとき、フックストッパ軸８２に係合可能な位置に回転止めされる。
【００３９】
図２、図１３において、扉９の回動量の限界は、開閉ストッパ８１の円弧孔８１ａの終端８１ａａが複写機１に設けられたストッパ８５に受け止められる位置である。扉９を開放することにより、第１搬送ガイド７０と装置本体１Ａとで形成されるシート搬送経路９５に詰まったシートを除去することができる。
【００４０】
このとき、図２、図３、図１４において、フック付勢ばね７６の引張力、つまりフック付勢ばね７６の引張力Ｆ２が小さいと、扉９を開放側に牽引する操作力Ｆ１を軽くすることができる。しかし、複写機１がシートを搬送してシートにトナー画像を形成する動作をしているとき、第１搬送ガイド７０は、搬送ローラ対１０でシートを挟持回転搬送するようになっている。搬送ローラ対１０は、装置本体１Ａ側に設けた駆動ローラ１０ａと第１搬送ガイド７０側に設けた搬送コロ１０ｂとで構成されている。そして、搬送コロ１０ｂは、駆動ローラ１０ａとで、シートを搬送するに適切な圧接力Ｆ３（図２）で駆動ローラ１０ａに圧接されている。また、シート搬送経路９５が湾曲しているため、第１搬送ガイド７０は、シートを湾曲させながら案内する必要があり、搬送されるシートからも開放側（外側、矢印Ｋ方向）への押圧力Ｆ４（図２）を受ける。
【００４１】
このため、フック付勢ばね７６のフック付勢方向Ｈの引張力（付勢力）Ｆ２（図１４）は、駆動ローラ１０ａに対する搬送コロ１０ｂの適切な圧接力Ｆ３を得られるとともに、第１搬送ガイド７０がシートから押圧力Ｆ４を受けても、係合凹部７５ａとフックストッパ軸８２との係合を維持できる値に設定しておく必要がある。しかも、第１搬送ガイド７０は、厚みの厚いシートや、湾曲しにくい坪量の大きいシートＰを案内することもある。このため、フック付勢ばね７６のフック付勢方向Ｈの引張力Ｆ２は、搬送されるシートの種類によって搬送ローラ対１０によるシート搬送が不安定とならないように、設定される駆動ローラ１０ａの圧接力Ｆ３と、搬送されるシートから受ける押圧力Ｆ４とを考慮して設定しておく必要がある。因みに、駆動ローラ１０ａに対する搬送コロ１０ｂの適切な圧接力Ｆ３と、第１搬送ガイド７０がシートから受ける押圧力Ｆ４との合計は、約１５Ｎ乃至約２０Ｎである。
【００４２】
ところが、上記引張力Ｆ２（図１４）を大きい値に設定すると、ユーザが扉９を開放側（外側、矢印Ｋ方向）へ引く操作力Ｆ１が大きくなる原因になって、扉９の開閉動作の操作性を低下させることがある。このため、上記操作力Ｆ１は扉９の開閉動作の操作性を損なわないように設定し、上記引張力Ｆ２はシート搬送時にフック７５とフックストッパ軸８２との係合が解除されないように設定する必要がある。
【００４３】
そこで、図１４において、本実施形態の本体開閉装置１Ｂは、Ｄ１＜Ｄ２に設定してある。距離Ｄ１は、扉９の回動中心軸７７と、フック７５の回動中心である突起部７４との距離である。距離Ｄ２は、扉９の回動中心軸７７と、把手部７３の把手力点Ｐ７３との距離である。因みに、本実施形態では、距離Ｄ１＝１３４．１ｍｍ、距離Ｄ２＝１３４．７ｍｍに設定してある。このように、本体開閉装置１Ｂは、距離Ｄ２を、距離Ｄ１を超えた値に設定することで、シートの搬送性を損なうことを少なくして、扉９を開放側（外側、矢印Ｋ方向）へ引く操作力Ｆ１を軽減し、扉９を円滑に開くことができるようになる。なお、指を把手力点Ｐ７３より上方に掛けると、距離Ｄ２がさらに長くなり、より一層、上記操作力Ｆ１を小さくして、扉９を容易に開くことができる。
【００４４】
装置本体１Ａを開いた扉９は、開放側（外側、矢印Ｋ方向）とは反対方向に回動させると、フック７５がフックストッパ軸８２に係合して、装置本体１Ａを閉めた状態に保持される。
【００４５】
なお、以上説明したフック７５は、フック付勢ばね７６によって、フック付勢方向Ｈに回動するようになっているが、フック付勢ばね７６を使用しないで、自重によってフック付勢方向Ｈに回動するようになっていてもよい。この場合においても、上記値Ｆ２に相当する回動力がフック７５に作用している必要がある。
【００４６】
また、把手部７３の代わりに、扉９の外側の距離Ｄに相当する位置に、ユーザが指で摘まんで、扉９を外側に引いて、扉９を開くことができる凸部を突設してもよい。したがって、開閉作用部は、把手部７３に限定されるものではない。
【００４７】
さらに、フック７５が扉９に設けられ、フックストッパ軸８２が装置本体１Ａに設けられているが、フック７５が装置本体１Ａに設けられ、フックストッパ軸８２が扉９に設けられていても良い。すなわち、フック７５は扉９と装置本体１Ａとの一方に設けられ、フックストッパ軸８２は扉９と装置本体１Ａとの他方に設けられていればよい。
【００４８】
さらに、シート搬送経路９５が湾曲していないで直線の場合には、湾曲による押圧力Ｆ４を受けることが殆どないので、押圧力Ｆ４を考慮する必要がない。
【符号の説明】
【００４９】
１：複写機（画像形成装置）、１Ａ：複写機の装置本体（ハウジング）、１Ｂ：本体開閉装置、１Ｃ：シート搬送装置、３：画像形成部（画像形成手段）、９：扉（回動部材）、１１：レジストローラ対（搬送手段）、７３：把手部（開閉作用部）、７４：突起部（ロック手段）、７５：フック（ロック手段、係合部材（被係合部材））、７７：扉の回動中心軸（回動中心）、８０：ロック機構（ロック手段）、８２：フックストッパ軸（ロック手段、被係合部材（係合部材））、８９：外付けの給紙装置、９５：シート搬送経路（第２の搬送路）、９６：給紙搬送路（第１の搬送路）、Ｄ１：扉の回動中心軸とフックの突起部との距離、Ｄ２：扉の回動中心軸と把手部との距離、Ｐ：シート、Ｐ７３：把手力点。
【図１】
2017165507.tif 000003
【図２】
2017165507.tif 000004
【図３】
2017165507.tif 000005
【図４】
2017165507.tif 000006
【図５】
2017165507.tif 000007
【図６】
2017165507.tif 000008
【図７】
2017165507.tif 000009
【図８】
2017165507.tif 000010
【図９】
2017165507.tif 000011
【図１０】
2017165507.tif 000012
【図１１】
2017165507.tif 000013
【図１２】
2017165507.tif 000014
【図１３】
2017165507.tif 000015
【図１４】
2017165507.tif 000016
【図１５】
2017165507.tif 000017